(57)【特許請求の範囲】
【請求項１】
アイウェア製品であって、
前記アイウェア製品は、
ブリッジ部と、対向する外部端部とを有し、２つの部分に分離可能であるフレーム；
前記フレームの分離可能な２つの部分の前記対向する外部端部のそれぞれにヒンジ結合された一対のテンプルであって、前記一対のテンプルの各々は、前記フレームの分離可能な２つの部分とヒンジ結合される結合手段を有し、前記一対のテンプルの各々は、直線状の半剛性部分を有し、前記半剛性部分は、前記結合手段の端部に形成され、前記結合手段から、前記フレームと反対の方向に前記半剛性部分の端部まで延びており、前記一対のテンプルの前記半剛性部分はプラスチックポリマーで作製され、前記一対のテンプルは前記フレームに対して折り畳み可能であり、前記一対のテンプルは展開位置又は格納位置にある、一対のテンプル；及び
前記一対のテンプルの前記半剛性部分の端部から延びて着用者の頭を後部で包囲するベルトとして機能する可撓性中央領域であって、前記可撓性中央領域は熱可塑性エラストマー材料で作製され、前記半剛性部分よりも高い可撓性を有する、可撓性中央領域；
を有し、
２つの前記半剛性部分および前記可撓性中央領域は、２つの材料からなる細長い単一部品を構成し、
前記一対のテンプル及び前記可撓性中央領域は、前記格納位置にあるとき折り畳まれて前記フレームの領域内に完全に格納され、
前記一対のテンプルの前記半剛性部分及び前記可撓性中央領域は折り畳まれた後も最初の形状を復元することができることを特徴とする、アイウェア製品。
【請求項２】
前記熱可塑性エラストマー材料はポリエステル系の熱可塑性エラストマーであることを特徴とする、請求項１に記載のアイウェア製品。
【請求項３】
前記結合手段は、調節可能で前記半剛性部分の端部に押し込んで挿入できる細長い金属製の連結具（４）で構成されることを特徴とする、請求項１に記載のアイウェア製品。
【発明の詳細な説明】
【技術分野】
【０００１】
本発明は、本明細書に記載した通り、メガネ用可撓性ロッドに関し、この可撓性ロッドは、構造上および構成上の革新的特徴に由来する一連の利点をもたらす。後に詳述するこれらの利点は、本明細書の範囲内で改良点および新規性を仮定するものである。
【０００２】
さらに詳細には、本発明の目的は、メガネ用のロッドであって、特に、フレームがブリッジの領域で開くタイプのメガネに適用でき、後頭部でフレームの両側部分を結合する後固定具としての部品を有するロッドに焦点を当てたものであり、前記ロッドは、ロッドを折り畳めるように異なる度合いの可撓性を生み出し、通常サイズの袋にメガネを保管して持ち運べるようにすると同時に、使用者の耳の上のこめかみの所で調整するのに十分剛性になるように、ロッドの両端部と中央部分とで性質の異なる特定領域を有する可撓性構造体で構成されるという革新的特性を備えている。
【０００３】
本発明の適用分野は、メガネ（ｇａｆａｓおよびａｎｔｅｏｊｏｓ）の製造向けの産業部門内に位置づけられ、特にフレームおよび骨組みの分野に焦点を当てている。
【背景技術】
【０００４】
先行技術を参照すると、記載されているように、結合器具を介して、例えば磁石を介して前方で開閉するフレームを有するメガネでてきていて、頭の両側で使用者の耳の上で通常の方法で固定され、後頭部で閉鎖した状態の単一部品を構成するロッドを有し、これによって、メガネをかけたりはずしたりするために前方で分離するフレームの両側部分を常に結合した状態に維持できるメガネに関連するタイプのメガネが広く知られていることを指摘できる。
【０００５】
しかしながら、前記ロッドは、普通はプラスチック材料製の部品で形成され、この部品は、ロッドの各端部で連結用の小さな金属片または金属部品に結合し、一方この金属部品は、１つ１つのレンズを収容しているフレームの両部分の外側端部にそれぞれ関節式に結合している。このロッドは、使用者の耳の上で支えられる通常のフレームのように調整でき、それによってブリッジで結合して鼻の上に置いた時点でフレームを固定する役割を果たせるように、ほぼ剛性または半剛性の部品で構成されることが多い。
【０００６】
前記タイプのメガネにみられる前述のロッドの問題は、小型のケースにメガネを保管するのが困難なことである。なぜなら、前記剛性または半剛性のロッドにすると、場合によっては分解可能であっても、使用者の頭を後部のところで包囲しなければならない部品になっているため、相当なスペースを取り、そのために通常のメガネケース内で折り畳んで収納できるようにはならず、よってかなり大きいサイズのケースを使用しなければならず、これは使用者にとっては保管するのに不都合である。
【０００７】
前記問題を回避するため、１つの可能性のある解決策が、ロッドの代わりに伸縮性のある紐を固定装置として用いる方法だが、前記解決策は、ロッドを正しく使用するためにベルトを使用者の頭に対してぴんと張った状態で調整しなければならないというものである。なぜなら、そのようにしなければメガネは固定された状態にならないからである。しかしながら、このような場合、快適でないことは明らかである。というのも、スポーツ用のメガネでないかぎり、ぴんと張った状態にして使用者の頭のところで調整する必要性は明らかに煩わしくなる可能性があるとともに、髪をとかす際や帽子をかぶる際にも不都合になるからである。
【発明の概要】
【発明が解決しようとする課題】
【０００８】
そのため、前記タイプのメガネ用のロッドの一種であって、形を崩さずに適切に固定するために伸縮性であることなく、通常の構成および寸法であるケース内で折り畳んで保管できるようにするのに必要な可撓性を備えるロッドを検討することが望ましく、前記ロッドを開発することが本発明の目的である。
【０００９】
このほかさらに、具体的に本明細書に提唱し、特許請求の範囲に記載したロッドが備えている特徴と同様の技術上、構造上および構成上のいくつかの特徴を備えているメガネ用可撓性ロッドが他に存在することは知られていないことを指摘できる。
【課題を解決するための手段】
【００１０】
このように、本発明が提供するメガネ用可撓性ロッドは、本発明の適用分野内で特筆すべき新規性として構成される。なぜなら、本発明の実施態様および限定的形態によれば、上記に記載した目的は適切なものとして十分に達成され、特徴的な詳細は、それを可能にして既に公知のものと区別するものであり、本明細書に添付の最終的な特許請求の範囲に適切に記載しているからである。
【００１１】
具体的には、本発明が提唱するものは、メガネ用ロッドであって、記載したように、ブリッジの領域で分離されるフレームを備えているタイプのメガネに適用でき、本質的に細長い構成の部品で構成され、各端部が、分離するフレームの各部品の外側端部にロッドを連結する手段を備えているロッドにおいて、
−  半剛性である各々の領域であって、前述した部品の端部近くにある２つの断片に相当し、使用者のこめかみの上で支えられるメガネを固定できる領域と、
−  中央領域であって、使用者の頭を後ろで包囲するロッドの部分に相当し、ロッドを構成する部品が全体的に可撓性になって、通常の構成および寸法である袋またはケースの中に入れられるほどロッドを折り畳むことを可能にする中央領域と
で構成される、明確に異なる３つの部分を有することを特徴とするロッドである。
【００１２】
本発明の好適な実施態様では、記載した本発明のロッドの半剛性断片は、プラスチック材料、好ましくはＴＲ９０で作製され、この材料は、記憶機能、すなわち特定の可撓性にできる機能を有するとともに、折り畳んだ後に常に最初の形状を復元する機能を有するポリマーで構成され、メガネ用のフレームによく使用される材料である。なぜなら、それが軽量で耐性が高く、色の選択範囲が広いことから、前記の使用に最適だからである。
【００１３】
一方、ロッドの中央領域は、好ましくは熱可塑性エラストマー材料で作製され、さらに好ましくはポリエステル系の熱可塑性エラストマー、すなわちＴＰＥ−Ｅ（英語のＴｈｅｒｍｏｐｌａｓｔｉｃ  Ｐｏｌｙｅｓｔｅｒ  Ｅｌａｓｔｏｍｅｒの略語）で作製される。
【００１４】
前記材料の利点は、コポリマーの一種またはポリマーを物理的に混合したもの（一般にプラスチックおよびゴム）であり、ＴＰＥまたは熱可塑性ゴムとしても知られる他の熱可塑性エラストマーの利点と同じように、熱可塑性の特徴およびエラストマーの特徴を有する材料に起因するものである。さらに、ほとんどのエラストマーは耐熱性だが、熱可塑性物質は逆に、例えば射出成形での製造に使用するのが比較的容易である。さらに、熱可塑性エラストマーは、ゴムとプラスチック材料の典型的な利点を持ち合わせている。
【００１５】
そのため、ＴＰＥ−Ｅ製のロッドの前記中央領域は、ロッドを変形させずに折り畳めるようにするのに十分な可撓性があり、極めて窮屈なケースの中に長時間にわたって折り畳んで保管されていたとしても、最初の形状を問題なく再び復元する。
【００１６】
そのようにするために、これは好適な形態でもあるが、最終的に強調できることは、ロッドは二重射出成形プロセスから得られ、それによって、２つの材料からなる単一部品の部材を構成し、これは、端部がＴＲ９０製である前述の２つの断片、およびＴＰＥ−Ｅ製の中央領域で形成され、これによって提唱されたロッドには、中央領域が可撓性でこめかみの領域が半剛性であるという記載した利点のほかに、耐久性が高く構造耐性が高いと同時に製造コストが節約されるという利点も加わることである。
【００１７】
以上のことから、記載したメガネ用可撓性ロッドは、何らかの目的で現在まで知られていない構造上および構成上の特徴を備えた革新的な構造をしていて、実用的な有益性に関連する理由から、必要とされる排他性の特権を得るのに十分な根拠がこのロッドに与えられていることがわかる。
【００１８】
これまでに記載した説明文を補足するため、また本発明の特徴をよりよく理解するのを補助する目的で、本明細書にはその不可欠な部分として一連の図面を添付しており、この図面には例示的な性質で非限定的に以下の図を示している。
【図面の簡単な説明】
【００１９】
【図１】本発明の目的であるメガネ用可撓性ロッドの好適な実施例の斜視図であり、このロッドの全体構成およびこのロッドに含まれる主要な部品および部材を示している。
【図２】ブリッジの領域で前面が開くメガネの斜視図であり、本発明のロッドがメガネに連結している図である。
【図３】図２に示したメガネの斜視図であり、本発明によるロッドを折り畳み位置に配置したメガネを示し、通常サイズのメガネ用袋に挿入できるようになっていることを示す図である。
【発明を実施するための形態】
【００２０】
上記の図面を参照し、かつ付与した符号に従い、メガネ用可撓性ロッドの好適だが非限定的な実施例を図面に見ることができ、このロッドは、以下で詳細に示して説明する部品よび部材を備えている。
【００２１】
前記図面に見られるように、問題のロッド（１）は、フレーム（２）がブリッジ（３）の領域で分離するタイプのメガネに適用でき、細長い部品で構成され、この部品の各端部は関節式結合手段に連結し、この手段は、例えば調節可能でロッド（１）の端部に単純に押し込んで挿入できる金属製の連結具（４）で構成され、このロッドを前述のフレーム（２）のそれぞれの外側端部と結合し、ロッドは、好ましくは射出成形プロセスで製造され、半剛性、つまり可撓性が特定の度合いである各々の断片であって、これは各端部にロッドのほぼ直線の部分を含み、互いに並行に位置する２つの断片に相当し、メガネをかけた際に使用者のこめかみ部分に相当する所に留まり、使用者の耳の上に載る役割を果たし、このようにしてメガネを固定できるようにするのに適している、半剛性断片（１１）を備えるとともに、可撓性中央領域であって、部品の残り部分に相当し、具体的には使用者の後頭部を囲む部品の部分に相当し、前記中央領域（１２）の可撓性の度合いが半剛性断片（１１）よりも大きいために、普通のメガネ袋またはメガネケースの中にメガネを入れられるほどロッド（１）を折り畳むことを可能にする、つまり、図３に示したように、ロッドが、フレーム（２）が取るスペースからはみ出ないように折り畳まれた状態になる、可撓性中央領域（１２）を備えている。
【００２２】
好ましくは、本発明のロッドの端部の半剛性断片（１１）は、プラスチック材料、具体的にはポリマーＴＲ９０で作製され、可撓性中央領域（１２）は、エラストマー材料、具体的にはポリエステル系の熱可塑性エラストマー、すなわちＴＰＥ−Ｅであり、ロッド（１）は二重射出成形プロセスから得られ、それによって、２つの材料からなる単一部品の部材を構成し、これは、端部がＴＲ９０製である前述の２つの断片、およびＴＰＥ−Ｅ製の中央領域で形成される。
【００２３】
本発明を実現するように本発明の特性を十分に説明してきたが、当業者が本発明の範囲および本発明から生じる利点を理解するために本発明の説明をさらに掘り下げる必要はないとみなし、本質的に本発明は、例として示した内容とは細部が異なる他の実施形態で実行することができ、そのような他の実施形態に対して本発明の基本原理が変更されたり入れ替わったり修正されたりしないことを常に要求する保護も同じく実現されることを確認しておく。
【図１】
0006638920.tif 000002
【図２】
0006638920.tif 000003
【図３】
0006638920.tif 000004